(57)【要約】【課題】  容器の利用者が必要に応じて、内容液の注出口の径を変更して使用することができるようにしたヒンジキャップを提供することを目的とする。【解決手段】  キャップ本体と、キャップ本体の上部に着脱自在に装着される内キャップと、ヒンジを介してキャップ本体と一体成形される蓋体とからなり、容器本体の口筒部に装着されるヒンジキャップにおいて、キャップ本体は、注出筒と、注出筒の外周に連設され、外縁の所定の個所にヒンジが連設される上壁と、内キャップを装着する係合部とを具え、内キャップは、キャップ本体の係合部に係合する装着部と、装着部にヒンジ部を介して廻動自在に連設され、上部に小径注出筒を具え、キャップ本体の注出筒上部に係合する注出蓋部とからなることを特徴とする。【選択図】  図１
2008189322.tif 000002
【特許請求の範囲】
【請求項１】
キャップ本体と、キャップ本体の上部に着脱自在に装着される内キャップと、ヒンジを介してキャップ本体と一体成形される蓋体とからなり、容器本体の口筒部に装着されるヒンジキャップにおいて、
キャップ本体は、注出筒と、注出筒の外周に連設され、外縁の所定の個所にヒンジが連設される上壁と、内キャップを装着する係合部とを具え、
内キャップは、キャップ本体の係合部に係合する装着部と、装着部にヒンジ部を介して廻動自在に連設され、上部に小径注出筒を具え、キャップ本体の注出筒上部に係合する注出蓋部とからなることを特徴とするヒンジキャップ。
【請求項２】
キャップ本体の係合部が、上壁上面の外縁に立設される係合壁と、係合壁の両側からキャップ本体の注出筒の外周まで連設する側壁とからなる係合穴部が形成され、
内キャップの装着部が、キャップ本体の係合部の係合穴部内に嵌入する嵌入突片を具えていることを特徴とする請求項１記載のヒンジキャップ。
【請求項３】
キャップ本体の係合部が、上壁の内縁部に凹設された係合溝で形成され、
内キャップの装着部が、キャップ本体の注出筒上部外周および係合溝と係合するように形成されていることを特徴とする請求項１記載のヒンジキャップ。
【請求項４】
内キャップを、キャップ本体の色彩と異なる色彩に着色したことを特徴とする請求項１記載のヒンジキャップ。
【発明の詳細な説明】
【技術分野】
【０００１】
本発明は、ヒンジキャップ、とくに注出口の径を選択することができるヒンジキャップに関するものである。
【背景技術】
【０００２】
容器本体の口筒部に装着されるヒンジキャップにおいて、必要に応じて注出口の径を変更して、狭口または広口にして内容液を注出することができるヒンジキャップは、従来より知られている（例えば、特許文献１参照）。
【特許文献１】特開２００５−１４９６８
【発明の開示】
【発明が解決しようとする課題】
【０００３】
しかしながら、特許文献１記載のヒンジキャップは、二つの注出筒の径を変えた中栓を形成し、ヒンジキャップに、中栓をその都度変更して装着し、内容液の注出口の径を変更できるようにしたもので、利用者にとっては、中栓の変更に手数がかかり、簡単ではなかった。
また、径の異なる中栓を用意して、利用者が使用する際に、中栓の一つを紛失してその注出口の径を使用できなくなるということもあった。
【０００４】
本発明は、上記の事情を考え、容器の利用者が必要に応じて、内容液の注出口の径を変更して使用することができるようにしたヒンジキャップを提供することを目的とする。
【課題を解決するための手段】
【０００５】
本発明は、上記の課題を解決するため、ヒンジキャップとして、キャップ本体と、キャップ本体の上部に着脱自在に装着される内キャップと、ヒンジを介してキャップ本体と一体成形される蓋体とからなり、容器本体の口筒部に装着されるヒンジキャップにおいて、キャップ本体は、注出筒と、注出筒の外周に連設され、外縁の所定の個所にヒンジが連設される上壁と、内キャップを装着する係合部とを具え、内キャップは、キャップ本体の係合部に係合する装着部と、装着部にヒンジ部を介して廻動自在に連設され、上部に小径注出筒を具え、キャップ本体の注出筒上部に係合する注出蓋部とからなることを特徴とする構成を採用する。
【０００６】
キャップ本体の係合部と内キャップの実施例として、キャップ本体の係合部が、上壁上面の外縁に立設される係合壁と、係合壁の両側からキャップ本体の注出筒の外周まで連設する側壁とからなる係合穴部が形成され、内キャップの装着部が、キャップ本体の係合部の係合穴部内に嵌入する嵌入突片を具えていることを特徴とする構成、または、キャップ本体の係合部が、上壁の内縁部に凹設された係合溝で形成され、内キャップの装着部が、キャップ本体の注出筒上部外周および係合溝と係合するように形成されていることを特徴とする構成、または、内キャップを、キャップ本体の色彩と異なる色彩に着色したことを特徴とする構成を採用する。
【発明の効果】
【０００７】
本発明は、キャップ本体に設けた注出筒の上部に、小径注出筒を具えた内キャップを装着するようにしたので、内キャップのキャップ本体への着脱により内容液の注出量を選択することができる。
また、内キャップの注出蓋部と装着部とがヒンジを介して連設され、装着部は、キャップ本体に取着されているので、注出蓋部の開閉の際、内キャップがキャップ本体から外れることがなく、紛失することを防止できる。
【発明を実施するための最良の形態】
【０００８】
次に、本発明のヒンジキャップについて、実施例をあげ、図面を参照して説明する。
【実施例１】
【０００９】
図１において、Ａは容器本体、Ｂはキャップ本体、Ｃはキャップ本体Ｂの上部に装着される内キャップ、ＤはヒンジＥを介してキャップ本体Ｂと一体成形される蓋体である。
容器本体Ａは、口筒部１と胴部２とを具えており、口筒部１の上部には、係合突条３が設けられている。
【００１０】
図１、２に示すように、キャップ本体Ｂは、注出筒５と、注出筒５の下端内周に連設される底壁６と、注出筒５の外周に連設され、外縁の所定の個所にヒンジＥが連設される上壁７と、上壁７の外縁下面に垂設される外筒８と、上壁７上面のヒンジＥ側に形成され、内キャップＣを装着する係合部９とを具えている。
【００１１】
注出筒５の内周上部には、係止凹部１０が設けられている。
底壁６には、注出口を形成する除去部１１を切断する切断溝１２が刻設されており、除去部１１の上面には、プルリング１３が立設されている。
【００１２】
上壁７の外縁上部には、蓋体Ｄと係合する段部１４が形成されている。
外筒８の内周下部には、容器本体Ａの口筒部１の係合突条３と係合する係合突条１５が設けられている。
【００１３】
係合部９は、上壁７上面の外縁に立設される係合壁１６と、係合壁１６の両側から注出筒５の外周まで連設する側壁１７とからなり、係合壁１６内側面と、両側壁１７内側面と、注出筒５外周面と上壁７上面とにより係合穴部９ａが形成されている。
係合壁１６の下端両側部には、切欠部１８が設けられている。
【００１４】
内キャップＣは、注出蓋部Ｃ１と、注出蓋部Ｃ１の外縁にヒンジ部Ｃ２を介して連設され、キャップ本体Ｂの係合部９に係合する装着部Ｃ３とからなっている。
注出蓋部Ｃ１は、小径注出筒２０と、小径注出筒２０下端外周に連設された上壁２１と、上壁２１下面に垂設された係合筒２２とを具えている。
【００１５】
上壁２１のヒンジ部Ｃ２の反対側縁には、つまみ部２３が設けられている。
係合筒２２の外周には、キャップ本体Ｂの注出筒５の係止凹部１０に係合する係止突部２４が設けられている。
【００１６】
装着部Ｃ３は、ヒンジＣ２を介して上壁２１に連設される上壁２５と、上壁２５の下面に垂設され、キャップ本体Ｂの係合部９の係合穴部９ａ内に嵌入する嵌入突片２６とを具え、嵌入突片２６の外側面には、キャップ本体Ｂの係合部９の切欠部１８と係合する係合突部２７が設けられている。
【００１７】
蓋体Ｄは、上壁３０と、上壁３０の外縁に垂設され、下端外周の所定位置にヒンジＥが連設されるとともに、閉蓋時に下端部がキャップ本体Ｂの上壁７の段部１４と係合して密閉する側周壁３１とを具えている。
上壁３０下面中央部には、閉蓋時に内キャップＣの小径注出筒２０上部と係合して密閉する密閉部３２が設けられている。
側周壁３１の下端外周のヒンジＥの反対側には、つまみ部３３が突設されている。
【００１８】
次に、本実施例のヒンジキャップの使用態様と作用効果について説明する。
本実施例のヒンジキャップの組立は、まず、キャップ本体Ｂの係合部９の係合穴部９ａ内に内キャップＣの装着部Ｃ３の嵌入突片２６を嵌入させるとともに、キャップ本体Ｂの注出筒５内に、内キャップＣの注出蓋部Ｃ１の係合筒２２を挿入し、内キャップＣをキャップ本体Ｂの上部に装着する。
その際、嵌入突片２６の係合突部２７が、係合部９の切欠部１８上面に係合するので、嵌入突片２６は、係合穴部９ａから抜け出すことはない。
【００１９】
最後に、図１に示すように、蓋体ＤをヒンジＥを介して閉蓋した後、ヒンジキャップを、内容液が充填された容器本体Ａに打栓する。
【００２０】
容器を使用する際には、蓋体ＤをヒンジＥを介してキャップ本体Ｂから開蓋した後、内キャップＣの注出蓋部Ｃ１のつまみ部２３をもち上げる。
内キャップＣの装着部Ｃ３がキャップ本体Ｂの係合部９と嵌着しているので、注出蓋部Ｃ１をもち上げると、注出蓋部Ｃ１が装着部Ｃ３に対して、ヒンジ部Ｃ２を支点に廻動するとともに、キャップ本体Ｂの注出筒５の係止凹部１０と、注出蓋部Ｃ１の係合筒２２の係止突部２４との係合が外れ、図３に示すように、注出蓋部Ｃ１がキャップ本体Ｂの注出筒５から開蓋される。
【００２１】
次に、キャップ本体Ｂの底壁６のプルリング１３を引っ張り、切断溝１２を切断し、除去部１１を、底壁６から除去して開口する。
【００２２】
内容液の注出を広口で行う場合には、図４に示すように、注出蓋部Ｃ１がキャップ本体Ｂの注出筒５から開蓋し、容器を傾け、容器本体Ａ内の内容液を、キャップ本体Ｂの底壁６の開口から注出筒５内周を通して、広口で注ぐことができる。
【００２３】
内容液の注出を狭口で行う場合には、注出蓋部Ｃ１を、ヒンジ部Ｃ２を支点に廻動させ、キャップ本体Ｂの注出筒５の係止凹部１０と、注出蓋部Ｃ１の係合筒２２の係止突部２４と係合させ、閉蓋する。
次に、図５に示すように、容器を傾け、容器本体Ａ内の内容液をキャップ本体Ｂの底壁６の開口から注出筒５内に溜め、注出蓋部Ｃ１の小径注出筒２０内周を通して、狭口で注ぐことができる。
【００２４】
本実施例の内キャップＣは、注出蓋部Ｃ１を、キャップ本体Ｂの注出筒５から開蓋した後にもヒンジ部Ｃ２、および装着部Ｃ３を介してキャップ本体Ｂに装着されているので、注出蓋部Ｃ１が紛失することを防止している。
【００２５】
また、内キャップＣの色彩を、キャップ本体Ｂと異なる着色とすると、内キャップＣを用いて注出しているか否かを色彩によって簡単に知ることができる。
【００２６】
キャップ本体Ｂと蓋体ＤをつなぐヒンジＥと、内キャップＣのヒンジ部Ｃ２とを同方向に位置させることにより、蓋体Ｄと注出蓋部Ｃ１とを同方向に開蓋することができ、さらに、蓋体Ｄを閉蓋したときには、内キャップＣを同時に閉蓋することもできる。
また、必要に応じて、キャップ本体Ｂの係合部９を形成する位置を変えることで、蓋体Ｄと注出蓋部Ｃ１の開蓋方向をずらすこともできる。
【００２７】
前記実施例では、内キャップＣのキャップ本体Ｂへの取着を、キャップＣの装着部Ｃ３に設けた係合突部２７を具えた嵌入突片２６を、キャップ本体Ｂの係合部９の係合穴部９ａに嵌挿し、係合突部２７を係合部９の係合部１６に設けた切欠部１８に係合させたが、装着部Ｃ３の嵌入突片２６を係合穴部９ａに抜け出し不能として装着できればよいので、切欠部１８に代え、係合壁１６の内側面上端に係合突部２７と係合する係合突部を設けてもよく、また、係合穴部９ａと嵌入突片２６が一定の締め代をもって嵌着するようにしてもよく、装着部Ｃ３と係合部９との装着手段は、実施例に限定されない。
【実施例２】
【００２８】
次に、第１実施例の内キャップＣの構成を変えた別実施例について、図面を参照して説明する。
本実施例の第１実施例と同一の構成部分には、同一の符号を付して図示し、詳しい説明を省略し、相違点を中心に説明する。  
【００２９】
図６において、Ａは容器本体、Ｂａはキャップ本体、Ｆはキャップ本体Ｂａの上部に装着される内キャップ、ＤはヒンジＥを介してキャップ本体Ｂａと一体成形される蓋体である。
【００３０】
キャップ本体Ｂａは、注出筒５と、注出筒５の下端内周に連設される底壁６と、注出筒５の外周に連設され、外縁の所定の個所にヒンジＥが連設される上壁７と、上壁７の外縁下面に垂設される外筒８とを具えている。
上壁７の内縁部には、内キャップＦを装着する係合溝３５が凹設されている。
【００３１】
内キャップＦは、注出蓋部Ｆ１と、注出蓋部Ｆ１の下端にヒンジ部Ｆ２を介して連設され、内周がキャップ本体Ｂａの注出筒５外周と係合し、下部がキャップ本体Ｂａの係合溝３５と嵌挿される装着リング部Ｆ３とからなっている。
注出蓋部Ｆ１は、小径注出筒４０と、小径注出筒４０下端外周に連設された上壁４１と、上壁４１下面に垂設された係合筒４２と、上壁４１外縁に垂設され、下端外周の所定の個所にヒンジ部Ｆ２を連設する外筒４３とを具えている。
【００３２】
上壁４１のヒンジ部Ｆ２の反対側には、つまみ部４４が設けられている。
係合筒４２の外周には、キャップ本体Ｂａの注出筒５の係止凹部１０に係合する係止突部４５が設けられている。
【００３３】
次に、本実施例のヒンジキャップの使用態様と作用効果について説明する。
本実施例のヒンジキャップの組立は、キャップ本体Ｂａの上壁７の係合溝３５内に内キャップＦの装着リング部Ｆ３の下部を装着させるとともに、キャップ本体Ｂａの注出筒５内に、内キャップＦの注出蓋部Ｆ１の係合筒４２を挿入し、内キャップＦをキャップ本体Ｂａの上部に装着する。
【００３４】
容器を使用する際には、蓋体Ｄを開蓋した後、内キャップＦの注出蓋部Ｆ１のつまみ部４４をもち上げる。
内キャップＦの装着リング部Ｆ３が、キャップ本体Ｂａの注出筒５および係合溝３５と係合しているので、注出蓋部Ｆ１をもち上げると、注出蓋部Ｆ１が装着リング部Ｆ３に対して、ヒンジ部Ｆ２を支点に廻動するとともに、キャップ本体Ｂａの注出筒５の係止凹部１０と、注出蓋部Ｆ１の係合筒４２の係止突部４５との係合が外れ、図７に示すように、注出蓋部Ｆ１を、キャップ本体Ｂａの注出筒５から開蓋することができる。
【００３５】
内容液の注出を広口で行う場合には、注出蓋部Ｆ１を、キャップ本体Ｂａの注出筒５から開蓋し、また、内容液の注出を狭口で行う場合には、注出蓋部Ｆ１を、キャップ本体Ｂａの注出筒５に係合させ、閉蓋することで、内容液の注出量を選択することができる。
【００３６】
本実施例の内キャップＦは、注出蓋部Ｆ１を、キャップ本体Ｂａの注出筒５から開蓋した後にも、ヒンジ部Ｆ２および装着リング部Ｆ３を介してキャップ本体Ｂａに装着されているので、注出蓋部Ｆ１が紛失することを防止している。
その他の作用効果は、実施例１と同じである。
【産業上の利用可能性】
【００３７】
注出筒を具えたキャップ本体の上部に、キャップ本体の注出筒と係合する内キャップを装着することにより、内キャップのキャップ本体への開閉に応じて内容液の注出量を選択することができ、また、内キャップが紛失することを防止することができるので、ソース、つゆ、たれ等の液体食品調味料の注出量を適宜選択できる容器として広く利用できる。
【図面の簡単な説明】
【００３８】
【図１】本発明の第１実施例の容器の縦断正面図である。
【図２】ヒンジキャップの斜視説明図である。
【図３】内キャップの注出蓋部開蓋時の説明図である。
【図４】広口注出時の説明図である
【図５】狭口注出時の説明図である
【図６】本発明の第２実施例の容器の縦断正面図である。
【図７】内キャップの注出蓋部開蓋時の説明図である。
【符号の説明】
【００３９】
Ａ            容器本体
Ｂ、Ｂａ      キャップ本体
Ｃ、Ｆ        内キャップ
Ｃ１、Ｆ１    注出蓋部
Ｃ２、Ｆ２    ヒンジ部
Ｃ３          装着部
Ｄ            蓋体
Ｅ            ヒンジ
Ｆ３          装着リング部
１            口筒部
２            胴部
３            係合突部
５            注出筒
６            底壁
７、２１、２５、３０、４１  上壁
８            外筒
９            係合部
９ａ          係合穴部
１０          係合凹部
１１          除去部
１２          切断溝
１３          プルリング
１４          段部
１５          係合突条
１６          係合壁
１７          側壁
１８          切欠部
２０、４０    小径注出筒
２２、４２    係合筒
２３、３３、４４  つまみ部
２４，４５    係止突部
２６          嵌入突片
２７          係合突部
３１          側周壁
３２          密閉部
３５          係合溝
４３          外筒
【図１】
2008189322.tif 000003
【図２】
2008189322.tif 000004
【図３】
2008189322.tif 000005
【図４】
2008189322.tif 000006
【図５】
2008189322.tif 000007
【図６】
2008189322.tif 000008
【図７】
2008189322.tif 000009